(57)【要約】【課題】保護管材内を簡単に塞ぐことができ、防蟻効果を容易に発揮することができる、地中埋設箱の管接続部防蟻構造を提供する。【解決手段】管接続部防蟻構造６は、地中埋設箱２に保護管材３が接続された接続部の防蟻構造であって、防蟻成分を含有する材料で形成された閉塞板５が、保護管材３の内側を閉塞するように配置され、閉塞板５と保護管材３の内面との間が、防蟻成分を含有するパテで塞がれている。また、閉塞板５は、貫通孔５ｂを備え、その貫通孔５ｂを通って、保護管材３内と地中埋設箱２内とに渡って配線・配管材４が配設される。【選択図】  図１
2019205324.tif 000002
【特許請求の範囲】
【請求項１】
地中に埋設された地中埋設箱に保護管材が接続された接続部の防蟻構造であって、
防蟻成分を含有する材料で形成された閉塞板が、前記保護管材の内側を閉塞するように配置され、前記閉塞板と前記保護管材の内面との間が、防蟻成分を含有するパテで塞がれてなる、地中埋設箱の管接続部防蟻構造。
【請求項２】
前記閉塞板は、貫通孔を備え、
前記貫通孔を通って、前記保護管材内と前記地中埋設箱内とに渡って配線・配管材が配設されている、請求項１に記載の地中埋設箱の管接続部防蟻構造。
【請求項３】
前記閉塞板は、前記保護管材内における前記閉塞板よりも奥に溜まった水を前記地中埋設箱内に排出するための排出孔を備える、請求項１または２に記載の地中埋設箱の管接続部防蟻構造。
【請求項４】
前記排出孔には、前記保護管材内における前記閉塞板よりも奥から前記地中埋設箱内への水の移動を許容し、前記地中埋設箱内から前記保護管材内における前記閉塞板よりも奥への水の移動を阻止する弁が設けられている、請求項３に記載の地中埋設箱の管接続部防蟻構造。
【請求項５】
前記閉塞板は、外周から内方に向かう複数のスリットを備える、請求項１ないし４のいずれか１項に記載の地中埋設箱の管接続部防蟻構造。
【請求項６】
地中埋設箱に接続される保護管材の内側を閉塞するように配置される閉塞板であって、
防蟻成分を含有する材料で形成され、
外周から内方に向かう複数のスリットを備える、防蟻用の閉塞板。
【発明の詳細な説明】
【技術分野】
【０００１】
この発明は、地中埋設箱に保護管材が接続された接続部の防蟻構造、およびその防蟻構造に用いられる防蟻用の閉塞板に関するものである。
【背景技術】
【０００２】
従来、地中埋設箱に保護管が接続された接続部の防蟻構造として、保護管内のケーブルに防蟻成分を含有する不織布を巻き付けることで、保護管内を不織布で塞ぐことが開示されている（特許文献１参照）。
【先行技術文献】
【特許文献】
【０００３】
【特許文献１】特開２０１６−５３３５号公報
【発明の概要】
【発明が解決しようとする課題】
【０００４】
しかし、前記従来の防蟻構造においては、防蟻成分を含有する不織布を保護管（保護管材）内に挿入するにあたって、不織布をケーブルに巻き付ける必要があり、面倒であった。
【０００５】
この発明は、上記した従来の欠点を解決するためになされたものであり、その目的とするところは、保護管材内を簡単に塞ぐことができ、防蟻効果を容易に発揮することができる、地中埋設箱の管接続部防蟻構造、および防蟻用の閉塞板を提供することにある。
【課題を解決するための手段】
【０００６】
この発明に係る地中埋設箱の管接続部防蟻構造、および防蟻用の閉塞板は、前記目的を達成するために、次の構成からなる。すなわち、
請求項１に記載の発明に係る地中埋設箱の管接続部防蟻構造は、地中に埋設された地中埋設箱に保護管材が接続された接続部の防蟻構造であって、防蟻成分を含有する材料で形成された閉塞板が、前記保護管材の内側を閉塞するように配置され、前記閉塞板と前記保護管材の内面との間が、防蟻成分を含有するパテで塞がれてなる。
【０００７】
この管接続部防蟻構造によると、防蟻成分を含有する材料で形成された閉塞板が、保護管材の内側を閉塞するように配置される。そして、閉塞板と保護管材の内面との間が、防蟻成分を含有するパテで塞がれる。こうして、これら閉塞板とパテにより、保護管材内を簡単に塞ぐことができ、地中埋設箱内と保護管材内との間をシロアリが移動するのを容易に防ぐことができる。
【０００８】
また、請求項２に記載の発明に係る地中埋設箱の管接続部防蟻構造は、請求項１に記載の管接続部防蟻構造において、前記閉塞板は、貫通孔を備え、その貫通孔を通って、前記保護管材内と前記地中埋設箱内とに渡って配線・配管材が配設されている。このように、保護管材内と地中埋設箱内とに渡って配線・配管材が配設される場合には、閉塞板に、配線・配管材が通る貫通孔を設けることで、この配線・配管材に対処することができる。
【０００９】
また、請求項３に記載の発明に係る地中埋設箱の管接続部防蟻構造は、請求項１または２に記載の管接続部防蟻構造において、前記閉塞板は、前記保護管材内における前記閉塞板よりも奥に溜まった水を前記地中埋設箱内に排出するための排出孔を備える。これにより、保護管材内に雨水や地下水が流れ込んだとしても、その水は、排出孔を通って地中埋設箱内へと流れ出ることができる。
【００１０】
また、請求項４に記載の発明に係る地中埋設箱の管接続部防蟻構造は、請求項３に記載の管接続部防蟻構造において、前記排出孔には、前記保護管材内における前記閉塞板よりも奥から前記地中埋設箱内への水の移動を許容し、前記地中埋設箱内から前記保護管材内における前記閉塞板よりも奥への水の移動を阻止する弁が設けられている。弁を設けることで、地中埋設箱内から保護管材内へと水が逆流するのを防止することができる。
【００１１】
また、請求項５に記載の発明に係る地中埋設箱の管接続部防蟻構造は、請求項１ないし４のいずれか１項に記載の管接続部防蟻構造において、前記閉塞板は、外周から内方に向かう複数のスリットを備える。閉塞板に複数のスリットを設けることで、閉塞板は、これらスリットにより、外周側が撓みやすくなる。
【００１２】
また、請求項６に記載の発明に係る防蟻用の閉塞板は、地中埋設箱に接続される保護管材の内側を閉塞するように配置される閉塞板であって、防蟻成分を含有する材料で形成される。そして、閉塞板は、外周から内方に向かう複数のスリットを備える。
【００１３】
この閉塞板によると、閉塞板は、防蟻成分を含有する材料で形成されており、その閉塞板が、保護管材の内側を閉塞するように配置される。こうして、この閉塞板を用いて、保護管材内を簡単に塞ぐことができ、地中埋設箱内と保護管材内との間をシロアリが移動するのを容易に防ぐことができる。また、閉塞板に複数のスリットを設けることで、閉塞板は、これらスリットにより、外周側が撓みやすくなる。
【発明の効果】
【００１４】
この発明に係る地中埋設箱の管接続部防蟻構造によれば、防蟻成分を含有する材料で形成された閉塞板と、防蟻成分を含有するパテにより、保護管材内を簡単に塞ぐことができ、防蟻効果を容易に発揮することができる。
【００１５】
また、防蟻用の閉塞板によれば、防蟻成分を含有する材料で形成されており、この閉塞板を用いて、保護管材内を簡単に塞ぐことができ、防蟻効果を容易に発揮することができる。
【図面の簡単な説明】
【００１６】
【図１】この発明の第一の実施の形態の、管接続部防蟻構造を示す断面図である。
【図２】同じく、閉塞板の正面図である。
【図３】同じく、閉塞板素材の正面図である。
【図４】この発明の第二の実施の形態の、管接続部防蟻構造を示す断面図である。
【図５】この発明の第三の実施の形態の、管接続部防蟻構造を示す断面図である。
【図６】この発明の第四の実施の形態の、管接続部防蟻構造を示す断面図である。
【発明を実施するための形態】
【００１７】
以下、この発明に係る地中埋設箱の管接続部防蟻構造、および防蟻用の閉塞板を実施するための形態を図面に基づいて説明する。
【００１８】
図１〜図３は、本発明の第一の実施の形態を示す。図中符号１は、地中を示し、２は、地中埋設箱を示す。３は、保護管材を示す。４は、前記保護管材３内に通される配線・配管材（配線材または配管材）を示す。５は、防蟻用の閉塞板を示す。６は、地中埋設箱の管接続部防蟻構造を示す。
【００１９】
閉塞板５は、地中埋設箱２に接続される保護管材３の内側を閉塞するように配置されるものであって、防蟻成分を含有する材料で形成される。そして、閉塞板５は、外周から内方に向かう（図示実施の形態においては、外周から中心方向に等間隔で向かう）複数のスリット５ａ、５ａを備えている。
【００２０】
管接続部防蟻構造６は、地中１に埋設された地中埋設箱２に保護管材３が接続された接続部の防蟻構造であって、防蟻成分を含有する材料で形成された閉塞板５が、保護管材３の内側を閉塞するように配置され、閉塞板５と保護管材３の内面との間が、防蟻成分を含有するパテ７で塞がれている。
【００２１】
ここで、閉塞板５は、薄板状であって、その中央に、貫通孔５ｂを備え、その貫通孔５ｂを通って、保護管材３内と地中埋設箱２内に渡って配線・配管材４が配設される。また、閉塞板５は、その周縁部に、保護管材３内における閉塞板５よりも奥に溜まった水を地中埋設箱２内に排出するための排出孔５ｃを備える。そして、排出孔５ｃには、保護管材３内における閉塞板５よりも奥から地中埋設箱２内への水の移動を許容し、地中埋設箱２内から保護管材３内における閉塞板５よりも奥への水の移動を阻止する弁８が設けられる。
【００２２】
具体的には、地中埋設箱２は、ハンドホールとかマンホール等からなる。詳細には、地中埋設箱２は、側壁２ａと底壁２ｂとを有する。そして、側壁２ａに貫通孔２ｃがあけられている。
【００２３】
保護管材３は、配線・配管材４を収容保護する保護管３ａからなり、図示実施の形態においては、保護管３ａは、その長手方向に山谷が並ぶ波付管からなって、可撓性を備える。そして、保護管３ａ（保護管材３）は、地中埋設箱２に形成された貫通孔２ｃに接続される。なお、図示実施の形態においては、貫通孔２ｃの内周面と保護管３ａ（保護管材３）との間の隙間が、モルタル等の隙間材９で埋められる。
【００２４】
閉塞板５は、例えば合成樹脂製であって、円形板状に形成されている。この閉塞板５は、前述したように、防蟻成分を含有する材料で形成されるが、この防蟻成分としては、チアメトキサムとかクロチアニジンとかのネオニコチノイド系化合物、ピレスロイド系剤、有機リン剤、カーバメート剤、ホウ素化合物、フッ素化合物などが挙げられる。この防蟻成分は、通常、マイクロカプセルに封入されて、ベースとなる例えば合成樹脂材料とともに混練されて成形される。もっとも、マイクロカプセルに封入されることなく、直接、例えば合成樹脂材料に混練されて成形されても構わない。そこで、これら防蟻成分を適宜選択し、また、その含有率を調整することで、閉塞板５は、シロアリを忌避する忌避機能を備えたり、シロアリを殺虫する殺虫機能を備えたりする。
【００２５】
図３は、貫通孔５ｂとか排出孔５ｃを備えない閉塞板素材１０を示す。そこで、この閉塞板素材１０を用いて、貫通孔５ｂの部分とか排出孔５ｃの部分を切除することで、貫通孔５ｂとか排出孔５ｃを備えた閉塞板５を形成することができる。また、閉塞板素材１０には、その閉塞板素材１０の外周と同心となる目印１０ａが設けられる。そこで、この目印１０ａに沿って切断することで、径の小さな閉塞板５を形成することができ、この閉塞板５を、内径の小さな保護管３ａ（保護管材３）に用いることができる。
【００２６】
パテ７は、前述したように、防蟻成分を含有するが、この防蟻成分としては、閉塞板５において例示する防蟻成分と同様の成分が挙げられる。この防蟻成分は、通常、マイクロカプセルに封入されて、パテ７のベースに混入されるが、マイクロカプセルに封入されることなく、直接ベースに混入されても構わない。
【００２７】
次に、以上の構成からなる管接続部防蟻構造６および閉塞板５の作用効果について説明する。この閉塞板５によると、閉塞板５は、防蟻成分を含有する材料で形成されており、その閉塞板５が、保護管３ａ（保護管材３）の内側を閉塞するように配置される。こうして、この閉塞板５を用いて、保護管３ａ（保護管材３）内を簡単に塞ぐことができ、地中埋設箱２内と保護管３ａ（保護管材３）内との間をシロアリが移動するのを容易に防ぐことができる。すなわち、閉塞板５が、防蟻成分を含有する材料で形成されており、この閉塞板５を用いて、保護管３ａ（保護管材３）内を簡単に塞ぐことができ、防蟻効果を容易に発揮することができる。
【００２８】
また、閉塞板５に複数のスリット５ａ、５ａを設けることで、閉塞板５は、これらスリット５ａ、５ａにより、外周側が撓みやすくなる。このため、保護管３ａ（保護管材３）が波付管であっても、この閉塞板５を保護管３ａ（保護管材３）内に挿入する際に、容易に、保護管３ａ（保護管材３）の内面の山部を超えて谷部に嵌めることができる。
【００２９】
また、管接続部防蟻構造６によると、防蟻成分を含有する材料で形成された閉塞板５が、保護管３ａ（保護管材３）の内側を閉塞するように配置される。そして、閉塞板５と保護管３ａ（保護管材３）の内面との間が、防蟻成分を含有するパテ７で塞がれる。こうして、これら閉塞板５とパテ７により、保護管３ａ（保護管材３）内を簡単に塞ぐことができ、地中埋設箱２内と保護管３ａ（保護管材３）内との間をシロアリが移動するのを容易に防ぐことができる。すなわち、管接続部防蟻構造６によれば、防蟻成分を含有する材料で形成された閉塞板５と、防蟻成分を含有するパテ７により、保護管３ａ（保護管材３）内を簡単に塞ぐことができ、防蟻効果を容易に発揮することができる。なお、従来のように、不織布で保護管内を塞いだ場合には、不織布の巻き付けに時間を要し面倒であったり、また、パテのみで保護管内を塞いだ場合には、そのパテを多く必要としたり、そのパテの充填に時間を要し面倒であったりし、特に、保護管の径が大きい場合には、それらの問題が顕著となっていた。そこで、前述のように、閉塞板５を用いることで、パテの量を減らして、保護管３ａ（保護管材３）内を簡単に塞ぐことができる。
【００３０】
また、保護管３ａ（保護管材３）内と地中埋設箱２内とに渡って配線・配管材４が配設される場合には、閉塞板５に、配線・配管材４が通る貫通孔５ｂを設けることで、この配線・配管材４に対処することができる。
【００３１】
また、閉塞板５は、保護管３ａ（保護管材３）内における閉塞板５よりも奥に溜まった水を地中埋設箱２内に排出するための排出孔５ｃを備えている。これにより、保護管３ａ（保護管材３）内に雨水や地下水が流れ込んだとしても、その水は、排出孔５ｃを通って地中埋設箱２内へと流れ出ることができる。そして、排出孔５ｃに弁８を設けることで、地中埋設箱２内から保護管３ａ（保護管材３）内へと水が逆流するのを防止することができる。
【００３２】
図４は、本発明の第二の実施の形態を示す。この実施の形態は、第一の実施の形態とは、配線・配管材４が配設されておらず、閉塞板５には、貫通孔５ｂがあけられていない点が異なるが、他は同様であり、以下に、同一の部分には、同一の符号を付して、異なる部分を主に説明する。
【００３３】
管接続部防蟻構造６においては、配線・配管材４が配設される前の状態であって、防蟻成分を含有する材料で形成された閉塞板５が、保護管３ａ（保護管材３）の内側を閉塞するように配置され、閉塞板５と保護管３ａ（保護管材３）の内面との間が、防蟻成分を含有するパテ７で塞がれる。閉塞板５は、スリット５ａと排出孔５ｃとを備え、排出孔５ｃには、弁８が設けられている。ここで、閉塞板５は、第一の実施の形態と同様に、閉塞板素材１０を用いて形成することができ、その閉塞板素材１０に対し、排出孔５ｃの部分を切除することで、排出孔５ｃを備えた閉塞板５を形成することができる。
【００３４】
図５は、本発明の第三の実施の形態を示す。この実施の形態は、第一の実施の形態とは、ベルマウス１１が設けられ、そのベルマウス１１内に閉塞板５が配置される点が異なるが、他は同様であり、以下に、同一の部分には、同一の符号を付して、異なる部分を主に説明する。
【００３５】
保護管材３は、保護管３ａとベルマウス１１とからなる。ベルマウス１１は、保護管３ａの先端部分に設けられる。閉塞板５は、ベルマウス１１の内側を閉塞するように配置され、閉塞板５とベルマウス１１の内面との間が、防蟻成分を含有するパテ７で塞がれる。
【００３６】
ベルマウス１１には、弾性を備えた爪１１ａが設けられる。そこで、この爪１１ａが、保護管３ａの内面に係合することで、ベルマウス１１は、保護管３ａに取り付けられる。また、ベルマウス１１の口元部分１１ｂは、外方に広がるようにして地中埋設箱２内に突出し、その口元部分１１ｂと側壁２ａとの間の隙間が、パテ１２で埋められる。そして、このパテ１２においても、防蟻成分を含有するのが好ましく、その防蟻成分としては、閉塞板５において例示する防蟻成分と同様の成分が挙げられる。
【００３７】
図６は、本発明の第四の実施の形態を示す。この実施の形態は、第一の実施の形態とは、継手１３が設けられ、その継手１３内に閉塞板５が配置される点が異なるが、他は同様であり、以下に、同一の部分には、同一の符号を付して、異なる部分を主に説明する。
【００３８】
保護管材３は、保護管３ａと継手１３とからなる。そこで、保護管３ａは、継手１３を介して地中埋設箱２に接続される。閉塞板５は、継手１３の内側を閉塞するように配置され、閉塞板５と継手１３の内面との間が、防蟻成分を含有するパテ７で塞がれる。
【００３９】
継手１３は、筒状に形成された、第１コネクタ１３ａと第２コネクタ１３ｂとを備える。第１コネクタ１３ａは、地中埋設箱２の外側に配置され、その第１コネクタ１３ａに、保護管３ａが挿入され接続される。第２コネクタ１３ｂは、地中埋設箱２の内側から貫通孔２ｃに挿入されて、第１コネクタ１３ａに、例えばねじ込まれることにより連結される。また、この継手１３においては、第１コネクタ１３ａの内面と保護管３ａの外面との間に、オーリング１４が配置され、第１コネクタ１３ａの端面と地中埋設箱２（詳しくは、側壁２ａ）の外面との間に、パッキン１５が配置される。
【００４０】
なお、本発明は、上述した実施の形態に限定されるわけではなく、その他種々の変更が可能である。例えば、閉塞板５の排出孔５ｃには、弁８が設けられるが、この弁８はなくてもよい。また、排出孔５ｃそのものも、必要でなければなくてもよい。
【００４１】
また、閉塞板５は、外周から内方に向かう複数のスリット５ａ、５ａを備えるが、これらスリット５ａ、５ａはなくてもよい。
【００４２】
また、前記スリット５ａ、５ａは、貫通孔５ｂに達することはないが、これらスリット５ａ、５ａの有無にかかわらず、閉塞板５は、外周から貫通孔５ｂに達する切込みを一つ備えてもよい。そこで、配線・配管材４を貫通孔５ｂに通す際には、この切込みを開いて、その開いた切込を通して配線・配管材４を貫通孔５ｂに挿入することもできる。
【００４３】
また、閉塞板５は、閉塞板素材１０を用いて、貫通孔５ｂの部分とか排出孔５ｃの部分を適宜切除したり、必要な外径に合わせて切断したりすることで得られるが、初めから目的とする形状に形成されていてもよい。
【００４４】
また、管接続部防蟻構造６においては、閉塞板５と保護管材３（詳しくは、保護管３ａとか、ベルマウス１１とか、継手１３等）の内面との間が、防蟻成分を含有するパテ７で塞がれるが、他に、配線・配管材４と、閉塞板５の貫通孔５ｂの内周面との間とか、弁８と、閉塞板５の排出孔５ｃの内周面との間が、防蟻成分を含有する同様のパテで塞がれてもよい。また、閉塞板５が、スリット５ａ、５ａとか、外周から貫通孔５ｂに達する前述の切込みを備える場合には、それらスリット５ａ、５ａとか切込みが、防蟻成分を含有する同様のパテで塞がれてもよい。
【００４５】
また、保護管３ａは、波付管からならなくても、平滑管からなっていてもよい。
【符号の説明】
【００４６】
１  地中
２  地中埋設箱
３  保護管材
４  配線・配管材
５  閉塞板
５ａ  スリット
５ｂ  貫通孔
５ｃ  排出孔
６  管接続部防蟻構造
７  パテ
８  弁
【図１】
2019205324.tif 000003
【図２】
2019205324.tif 000004
【図３】
2019205324.tif 000005
【図４】
2019205324.tif 000006
【図５】
2019205324.tif 000007
【図６】
2019205324.tif 000008